(57)【要約】【課題】簡単な構成で表示及びデータ入力を可能とした液晶装置を提供することを目的とする。【解決手段】第１及び第２基板（１１、１６）間に挟持された液晶層（１７）と、第１又は第２基板の一方の基板の液晶層側に、対向電極を有さない静電容量センサ用電極（１２１、１２２、１２３）と液晶を駆動するためのセグメント電極（１０１、１０２、１０３）を有することを特徴とする液晶装置（１０）。【選択図】図２
2008268889.tif 000002
【特許請求の範囲】
【請求項１】
液晶装置において、
第１及び第２基板間に挟持された液晶層と、
前記第１又は第２基板の一方の基板の前記液晶層側に、対向電極を有さない静電容量センサ用電極と液晶を駆動するためのセグメント電極と、
を有することを特徴とする液晶装置。
【請求項２】
前記静電容量センサ用電極は、前記セグメント電極の周囲に配置されている、請求項１に記載の液晶装置。
【請求項３】
前記対向電極はフローティング状態に維持されている、請求項１または２に記載の液晶装置。
【請求項４】
前記静電容量センサ用電極及び前記セグメント電極が、前記第１及び第２基板の視認側に配置された一方の基板上に配置されている、請求項１〜３の何れか一項に記載の液晶装置。
【請求項５】
前記セグメント電極及び前記静電容量センサ用電極は、液晶装置のタッチ領域に配置されている、請求項１〜４の何れか一項に記載の液晶装置。
【請求項６】
前記静電容量センサ用電極の面積が前記セグメント電極の面積より大きくなるように構成されている、請求項１〜５の何れか一項に記載の液晶装置。
【請求項７】
前記静電容量センサ用電極と接続された誤検知防止用の配線を更に含む、請求項１〜６の何れか一項に記載の液晶装置。
【請求項８】
複数の静電容量センサ用電極及び前記複数の静電容量センサ用電極と接続された複数の配線を有し、前記複数の配線は、隣り合わせに配置されている、請求項１〜７の何れか一項に記載の液晶装置。
【請求項９】
前記セグメント電極は、パッシブ駆動用の電極である、請求項１〜８の何れか一項に記載の液晶装置。
【請求項１０】
前記第１又は第２基板は、可撓性基板である、請求項１〜９の何れか一項に記載の液晶装置。
【請求項１１】
前記静電容量センサ用電極のための電圧は、前記液晶層に印加される電圧より小さくなるように設定されている、請求項１〜１０の何れか一項に記載の液晶装置。
【発明の詳細な説明】
【技術分野】
【０００１】
本発明は、液晶装置に関し、特に表示用電極及びセンサ用電極を有する液晶装置に関する。
【背景技術】
【０００２】
表示用画素電極とデータ入力用電極を有する液晶表示装置が知られている（例えば、特許文献１）。このような液晶表示装置では、データ入力用のペンがデータ入力用電極に触れることによって、データ入力用電極からの信号がペンに接続されている信号ケーブルを介して座標決定処理回路等に送られ、ペンが指定した座標を決定することができるように構成されている。
【０００３】
しかしながら、この液晶装置はデータ入力用のペンばかりではなく信号ケーブルまで必要とすることから、携帯型の液晶表示装置としては不具合があった。
【０００４】
これに対し、指を使ってデータを入力するタッチセンサ一体型の液晶表示装置が知られている（例えば、特許文献２）。このような液晶表示装置では、液晶層を挟んで、第１のタッチ電極と第２のタッチ電極を対向する基板上に設け、ユーザが指で基板を押圧することによって、第１及び第２タッチ電極が接触して、押圧位置を特定するように構成されている。
【０００５】
一般に、液晶層の厚さを一定に保つためには液晶層内に粒状のスペーサ等を配置する場合がある。しかしながら、前述の液晶表示装置は第１及び第２タッチ電極が接触するために液晶層自体が撓むとスペーサが移動し、スペーサが適切に機能しなくなることから、柱状のスペーサを配置して液晶層自体の撓みをある程度許可しながら、液晶層の厚みを一定に保つための工夫を施さなければならないという不具合があった。
【０００６】
【特許文献１】特許３３５８７４４号公報（図２）
【特許文献２】特開２００１−７５０７４号公報（図３）
【発明の開示】
【発明が解決しようとする課題】
【０００７】
そこで、本発明では、上記問題点を解消することが可能な液晶装置を提供することを目的とする。
【０００８】
また、本発明では、センサ用電極を用いて、簡単な構成で表示及びデータ入力を可能とした液晶装置を提供することを目的とする。
【課題を解決するための手段】
【０００９】
上記課題を解決するために、本発明に係る液晶装置は、第１及び第２基板間に挟持された液晶層と、第１又は第２基板の一方の基板の前記液晶層側に、対向電極を有さない静電容量センサ用電極と液晶を駆動するためのセグメント電極とを有することを特徴とする。
【００１０】
また、本発明に係る液晶装置では、静電容量センサ用電極は、セグメント電極の周囲に配置されていることが好ましい。
【００１１】
さらに、本発明に係る液晶装置では、対向電極はフローティング状態に維持されていることが好ましい。
【００１２】
さらに、本発明に係る液晶装置では、静電容量センサ用電極及び前記セグメント電極が、第１及び第２基板の視認側に配置された一方の基板上に配置されていることが好ましい。
【００１３】
さらに、本発明に係る液晶装置では、セグメント電極及び静電容量センサ用電極は、液晶装置のタッチ領域に配置されていることが好ましい。
【００１４】
さらに、本発明に係る液晶装置では、静電容量センサ用電極の面積が前記セグメント電極の面積より大きくなるように構成されていることが好ましい。
【００１５】
さらに、本発明に係る液晶装置では、静電容量センサ用電極と接続された誤検知防止用の配線を更に含むことが好ましい。
【００１６】
さらに、本発明に係る液晶装置では、複数の静電容量センサ用電極及び複数の静電容量センサ用電極と接続された複数の配線を有し、複数の配線は、隣り合わせに配置されていることが好ましい。
【００１７】
さらに、本発明に係る液晶装置では、セグメント電極は、パッシブ駆動用の電極であることが好ましい。
【００１８】
さらに、本発明に係る液晶装置では、第１又は第２基板は、可撓性基板であることが好ましい。
【００１９】
さらに、本発明に係る液晶装置では、静電容量センサ用電極のための電圧は、液晶層に印加される電圧より小さくなるように設定されていることが好ましい。
【発明の効果】
【００２０】
本発明によれば、表示用電極とともに透明電極パターンからなり、液晶層自体を大きく撓ませる必要のないセンサ用電極を利用しているので、簡単な構成で、表示とデータ入力を行うことが可能となった。
【発明を実施するための最良の形態】
【００２１】
以下図面を参照して、本発明に係る液晶装置について説明する。但し、本発明の技術的範囲はそれらの実施の形態に限定されず、特許請求の範囲に記載された発明とその均等物に及ぶ点に留意されたい。
【００２２】
図１は、本発明に係る液晶装置１０の概略断面図である。
【００２３】
液晶装置１０は、第１透明基板１１、第２透明基板１６、シール部材１９、第１及び第２透明基板間１１及び１６の間隔を保持するために複数配置されたスペーサ１８、第１及び第２透明基板１１及び１６とシール部材１９間に封入された液晶層１７等を有している。なお、第１透明基板１１は、視認側に配置されており、したがって、ユーザが第１透明基板１１の図中の上側から液晶装置１０を観察することとなる。
【００２４】
また、第１透明基板１１上には第１透明電極パターン１２及び第１配向膜１３が形成され、第２透明基板１６上には第２透明電極パターン１５及び第２配向膜１４が形成されている。なお、説明のために、縮尺が実際と異なる場合がある点に留意されたい。
【００２５】
液晶層１７には、一般的に用いられているＴＮ（ツイステッドネマティック）液晶等が用いられる。
【００２６】
第１及び第２透明基板１１及び１６は、可撓性であって、厚さ１００μｍのポリカーボネイト樹脂によって形成されている。しかしながら、第１及び第２透明基板１１及び１６は、これに限定されるものではなく、変性アクリル樹脂、ポリメタクリル樹脂、ポリエーテルサルフォン樹脂、ポリエチレンテレフタレート樹脂、ノルボルテン樹脂、ガラス等であっても良く、また厚さも５０μｍ〜２５０μｍとすることができる。
【００２７】
第１及び第２透明電極パターン１２及び１５は、第１及び第２透明基板１１及び１６上に、それぞれスパッタリング法によって厚さ約０．０３μｍのＩＴＯから構成された透明導電膜を蒸着し、その後エッチングによって不要な部分を除去することによってパターン化されている。また、液晶装置１０では、第１及び第２透明電極パターン１２及び１５間に所定の交番電圧が印加されることによって、液晶層１７は透過モードと非透過モードに切換わるように構成されている。
【００２８】
図２は、透明電極パターンの一例を示す図である。
【００２９】
図２（ａ）は、第１透明電極パターン１２の一例を示している。図２（ａ）の例では、第１透明電極パターン１２は、「Ａ」の文字型をした第１セグメント電極１０１、「Ｂ」の文字型をした第２セグメント電極１０２、「Ｃ」の文字型をした第３セグメント電極１０３、第１セグメント電極への配線１１１、第２セグメント電極への配線１１２、第３セグメント電極への配線１１３、第１センサ電極１２１、第２センサ電極１２２、第３センサ電極１２３、第１センサ電極への配線１３１、第２センサ電極への配線１３２、及び第３センサ電極への配線１３３等を有している。
【００３０】
セグメント電極とは、表示したい形状、例えば、文字、数字、キャラクタ、それらの一部等の形状を有する電極を言う。
【００３１】
また、第１センサ電極１２１は、第１セグメント電極１０１の近傍であってその周囲を取り囲むように配置され、第１セグメント電極の面積より大きな面積を有するように構成されている。同様に、第２センサ電極１２２は、第２セグメント電極１０２の近傍であってその周囲を取り囲むように配置され、第２セグメント電極の面積より大きな面積を有するように構成されている。さらに、第３センサ電極１２３は、第３セグメント電極１０３の近傍であってその周囲を取り囲むように配置され、第３セグメント電極の面積より大きな面積を有するように構成されている。
【００３２】
図２（ｂ）は、第２透明電極パターン１５の一例を示している。図２（ｂ）の例では、第２透明電極パターン１５は、第１セグメント電極１０１に対向した位置に配置された第１対向電極２０１、第２セグメント電極１０２に対向した位置に配置された第２対向電極２０２、第３セグメント電極１０３に対向した位置に配置された第３対向電極２０３、及び各対向電極を接続する配線２１０等を有している。第１対向電極２０１、第２対向電極２０２、第３対向電極２０３及び配線２１０には全て同一電位が印加され、コモン電極として機能している。
【００３３】
図３は、図２に示すセンサ用電極に指が触れた場合の静電容量を示す図である。
【００３４】
図３に示すように、例えば、第１センサ電極１２１が配置された部分において、第１透明基板１１上にユーザの指１が置かれると、第１センサ電極１２１と指の間の静電容量と指を介した人体の静電容量の総和Ｃｈが発生する。以下に説明する検知回路では、この静電容量Ｃｈを検知することによって、どのセンサ電極へ入力指示がなされたのかを判別することとなる。
【００３５】
図２及び図３に示したように、液晶装置１０では、センサ電極は、視認側の第１透明基板１１上の第１透明電極パターン１２に含まれている。これは、視認側からユーザの指が液晶表示装置１０に接触することから、視認側の第１透明基板上にセンサ電極を設けた方が、より検出感度が高くなるからである。
【００３６】
また、図２及び図３に示したように、液晶装置１０では、センサ電極に対向した対向電極は、第２透明電極パターン１５には設けられていない。それは、図３において説明したように、グランドレベルと接続しているとみなされるユーザの指１とセンサ電極との間に発生する静電容量Ｃｈの変化率を大きくし、判別を容易にすることができるからである。逆に、センサ電極に対向した対向電極（グランドレベルと接続する）を第２透明電極パターン１５上に設けた場合、液晶層１７の厚さが１０μｍ程度と薄いので、センサ電極と対向電極間に、大きくその値が変化しない静電容量が発生する。この静電容量に対して、ユーザの指１とセンサ電極との間に発生する静電容量Ｃｈが小さすぎ、その検出感度が低下する。なお、対向電極をフローティングとすれば、対向電極を介したセンサ電極−グランド間の容量が小さくなるので、静電容量Ｃｈは相対的に大きくなり、検出しやすくなる。
【００３７】
図４は、図２及び図３に対応した検知回路の概略構成を示す図である。
【００３８】
検知回路２０は、電源電圧ＶＤＤ、第１センサ電極１２１、第１センサ電極１２１と指１との間に発生する静電容量Ｃｈ、静電容量Ｃｈと並列に配置された固定静電容量Ｃｓ、定電流源２１、スイッチＳＷ２２、比較回路２３、ＰＷＭユニット２４、タイマユニット２５、タイマユニット用の発振器２６、及びＣＰＵ等を含んで構成される制御部２７等から構成されている。検知回路２０は、静電容量結合方式による容量変化によって、第１センサ電極１２１上に指が置かれたか否かを検出する。
【００３９】
第１センサ電極１２１に対応する第１基板１１上にユーザの指が置かれない場合には、定電流源２１で充電する静電容量は固定静電容量Ｃｓのみであるが、ユーザの指が置かれた場合には、前述した静電容量Ｃｈが存在することとなり、定電流源２１で充電する静電容量は、Ｃｓ＋Ｃｈとなる。
【００４０】
初期状態は、ＳＷ２２はＯＦＦしており、固定静電容量Ｃｓの端子電圧はＯＶであって、比較回路２３の出力はＬＯＷであるものとする。すると、定電流源２１によって固定静電容量Ｃｓ（又はＣｓ＋Ｃｈ）が充電されて、Ｃｓの端子電圧Ｖｉが上昇する。端子電圧Ｖｉは基準電圧Ｖｒｅｆと比較回路２３において常時比較されており、端子電圧Ｖｉが基準電圧Ｖｒｅｆ以上となると、比較回路２３の出力はＨＩＧＨへ切り替る。比較回路２３の出力がＨＩＧＨとなることによって、ＳＷ２２がＯＮされるので、固定静電容量Ｃｓ（又はＣｓ＋Ｃｈ）に充電された電荷はＳＷ２２を介して放電し、固定静電容量Ｃｓの端子電圧Ｖｉは０Ｖに復帰する。したがって、比較回路２３の出力はＬＯＷに戻ることとなる。即ち、比較回路２３は所定のタイミングで、ＬＯＷとＨＩＧＨの出力を繰り返し行うこととなる。
【００４１】
ＰＷＭユニット２４は、比較回路２３の出力がＬＯＷからＨＩＧＨに変化するまでの間隔に対応したパルス幅を有する信号を出力する。タイマユニット２５は、発振器２６からの発振パルスに基づいて、ＰＷＭユニット２４が出力する信号のパルス幅に対応したパルス数を計測して、計測結果を制御部２７へ出力する。制御部２７では、計測結果に基づいて、第１センサ電極１２１に対応する第１基板１１上にユーザの指が配置されたか否かの判断を行う。
【００４２】
図５は、固定静電容量Ｃｓの端子電圧Ｖｉの一例を示す図である。
【００４３】
図５（ａ）はユーザの指が置かれ、合計の静電容量がＣｓ＋Ｃｈである場合を示し、図５（ｂ）はユーザの指が置かれず、合計の静電容量がＣｓのみ場合を示している。図５（ａ）及び（ｂ）において、縦軸はＣｓの端子電圧Ｖｉを示し、横軸は時間Ｔを示している。
【００４４】
図に示すように、ユーザの指が置かれた場合には、合計の静電容量が大きいため、比較回路２３の出力がＬＯＷからＨＩＧＨへ切り替わる期間Ｔ１が、ユーザの指が置かれなかった場合の期間Ｔ２より長くなる。したがって、制御部２７は、タイマユニット２５からの計測結果に基づいて、ユーザの指がセンサ電極上に置かれたか否かを判別することが可能となる。また、基準電圧Ｖｒｅｆを液晶１７のＶｔｈよりも小さく設定することで、センサ電極の充電電圧で液晶１７を電気変化させることがないため、表示への悪影響を軽減できる。
【００４５】
図４では、第１センサ電極１２１上に指が配置されたか否かの検知を行うための検知回路２０の一例を示しているが、実際には全てのセンサ電極に対して同様の検知回路が装備されているものとする。また、図４に示す検知回路２０は一例であって、他の回路構成を採用することも可能である。
【００４６】
上述したように、液晶装置１０では、例えば、所望のセグメント電極とコモン電極間に所定の交番電圧を印加して、電極間の液晶層の透過・非透過を制御することによってセグメントの表示を行い（パッシブ駆動）、セグメントが表示されている箇所のいずれかにユーザの指がタッチした場合には、図４に示す検知回路によってユーザによる入力位置の特定を行うことが可能となった。このように、液晶装置１０では、液晶表示用の透明電極パターンに表示用電極とセンサ用電極を組み込むことによって、表示と入力位置の特定を簡単な構成で実現することが可能となった。
【００４７】
図６は、透明電極パターンの他の例を示す図である。
【００４８】
図６（ａ）は図２（ａ）と同じ第１透明電極パターン１２の一例を示し、図６（ｂ）は他の第１透明電極パターン１２´の一例を示している。図６（ｂ）に示す他の第１透明電極パターン１２´は、液晶装置１０の第１透明電極パターン１２の代わりに用いることができる。なお、図６（ａ）及び（ｂ）において、図２と同じ構成には同じ番号を付している。
【００４９】
図６（ａ）において、点線６０で示した箇所をユーザがタッチした場合には、第２センサ電極１２２によってユーザの入力位置が例えば図４に示すような検知回路によって判別することができる。しかしながら、図中に点線６１として示した箇所にユーザがタッチした場合にも、配線１３２と指の間の静電容量が発生し、誤って、検知回路が第２センサ電極１２２にユーザがタッチしたと検知してしまう可能性がある。
【００５０】
そこで、図６（ｂ）に示す他の第１透明電極パターン１２´の例では、各センサ電極への配線を隣り合うように接近させ（例えば、その近傍を通常の大きさの指がタッチした場合には必ず複数の配線に跨ってしまう位に接近させ）ている。即ち、第１センサ電極１２１への配線１４１と第２センサ電極１２２への第１配線１４２−１と隣り合うように近接させ、第３センサ電極１２３への配線１４３と第２センサ電極１２２への第２配線１４２−２と隣り合うように近接させた。したがって、点線６２及び点線６３で示した箇所をたとえ指でタッチしてしまっても、必ず複数の配線に対応する箇所に同時に触れてしまうように構成した。なお、第２センサ電極１２２への配線は１本あれば良いので、第２配線１４２−２は（誤検知防止用の）、ダミーの配線ということができる。
【００５１】
このように各センサ電極への配線を構成した上で、検知回路において、同時に複数のセンサ用電極が入力位置となったことが検知された場合には、そのような入力位置の検知を誤入力としてキャンセルするように、制御部２７において制御することができる。このように制御することによって、図６（ａ）の点線６１で示すような誤入力を防止することが可能となる。
【００５２】
図７は、透明電極パターンの更に他の例を示す図である。本例では、押圧により液晶層の厚さが変化する場合に有効である。
【００５３】
図７（ａ）は図２（ａ）と同じ第１透明電極パターン１２の一例を示し、図７（ｂ）は他の第２透明電極パターン１５´の一例を示している。図７（ｂ）に示す他の第２透明電極パターン１５´は、液晶装置１０の第２透明電極パターン１５の代わりに用いることができる。なお、図７（ａ）及び（ｂ）において、図２と同じ構成には同じ番号を付している。
【００５４】
図７（ｂ）において、第１セグメント電極１０１に対向した位置に配置された第１対向電極２０１、第２セグメント電極１０２に対向した位置に配置された第２対向電極２０２、第３セグメント電極１０３に対向した位置に配置された第３対向電極２０３、及び各対向電極を接続する配線２１１を有している。第１対向電極２０１、第２対向電極２０２、第３対向電極２０３及び配線２１１には全て同一電位が印加され、コモン電極として機能している。
【００５５】
また、第１センサ電極１２１に対向した位置に配置された第１センサ対向電極２２１、第２センサ電極１２２に対向した位置に配置された第２センサ対向電極２２２、第３センサ電極１２３に対向した位置に配置された第３センサ対向電極２２３、第１センサ対向電極２２１への配線２３１、第２センサ対向電極２２２への配線２３２、及び第３センサ対向電極２２３への配線２３３等を有している。
【００５６】
図８は、図７に示すセンサ用電極と指との間の静電容量を示す図である。
【００５７】
図８（ａ）はセンサ用電極上に指が置かれていない場合を示し、図８（ｂ）はセンサ用電極上に指が置かれた状態を示している。
【００５８】
図８（ａ）に示すように、例えば、第１センサ電極１２１が配置された部分において、第１透明基板１１上にユーザの指１が置かれていない状態では、第１センサ電極１２１と指を介した人体の静電容量の直列容量の総和Ｃｈが発生しない。しかしながら、図８（ｂ）に示すように、第１センサ電極１２１上に指が置かれると、図３と同様に、第１センサ電極１２１と指の間に静電容量Ｃｈが発生する。
【００５９】
また、図７（ｂ）に示した他の第２透明電極パターン１５´を用いることにより、第１センサ電極１２１と第１センサ対向電極２２１との間にも静電容量ＣＬが存在することとなる。さらに、図８（ｂ）に示すように、センサ電極上に指が置かれると、第１透明基板１１は薄いプラスチックで構成されていることから、第１及び第２透明基板１１及び１６の間隔は微小幅分だけ短くなる。したがって、第１センサ電極１２１と第１センサ対向電極２２１との間の静電容量もＣＬ´に変化する。ここで、静電容量は電極間の距離に反比例することから、ＣＬ´＞ＣＬとなる。
【００６０】
図８（ｂ）に示すように、第１センサ電極１２１と第１センサ対向電極２２１との間の静電容量を利用する場合には、第１透明基板１１及び第２透明基板１６の何れか又は両方が可撓性を有している必要がある。第１と第２の透明基板１１，１６は薄いガラスでも良いが、プラスチックの方が可撓性が大きいので好ましい。
【００６１】
図９は、図７及び図８に対応した検知回路の概略構成を示す図である。
【００６２】
図９において、図４と同じ構成には同じ番号を付している。図９に示す検知回路２０´と、図４に示す検知回路２０との異なる点は、センサ用電極上に指が置かれた場合に、定電流源２１が充電する合計の静電容量は、Ｃｓ＋ＣＬ´＋Ｃｈであり、センサ用電極上に指が置かれない場合に、定電流源２１が充電する合計の静電容量は、Ｃｓ＋ＣＬである点のみである。
【００６３】
図４に示す検知回路２０では、センサ用電極上に指が置かれた場合に、定電流源２１が充電する合計の静電容量は、Ｃｓ＋Ｃｈであり、センサ用電極上に指が置かれない場合に、定電流源２１が充電する合計の静電容量は、Ｃｓであるので、その差はＣｈ（１０ｐＦ程度）のみとなる。これに対して、図９に示す検知回路２０´では、センサ用電極上に指が置かれた場合と置かれない場合の差は、Ｃｈ＋（ＣＬ´−ＣＬ）となり、その差が拡大するので、さらに検知が容易となる。
【００６４】
図１０は、透明電極パターンの更に他の例を示す図である。
【００６５】
図１０（ａ）は図２（ａ）及び図７（ａ）と同じ第１透明電極パターン１２の一例を示し、図１０（ｂ）は他の第２透明電極パターン１５´´の一例を示している。図１０（ｂ）に示す他の第２透明電極パターン１５´´は、液晶装置１０の第２透明電極パターン１５の代わりに用いることができる。なお、図１０（ａ）及び（ｂ）において、図７と同じ構成には同じ番号を付している。
【００６６】
図１０（ｂ）と図７（ｂ）との差異は、図１０（ｂ）において、第１センサ対向電極２２１への配線２３１、第２センサ対向電極２２２への配線２３２、及び第３センサ対向電極２２３への配線２３３等を設けず、第１センサ対向電極２２１、第２センサ対向電極２２２及び第３センサ対向電極２２３の電位をフローティング状態にするように構成した点である。
【００６７】
図１０（ｂ）において、対向電極２２１、２２２及び２２３は見栄え調整に用いられている。例えば、第２の透明基板１６から第１の透明基板１１に向かって光が透過する場合、セグメント部、センサ部とも、透明電極層１５、液晶層１７、透明電極層１２を通過する。一方、図２の例では、センサ部では透明電極層１５がないので、セグメント部とセンサ部で見栄えが異なってしまう。対向電極２２１、２２２及び２２３が視認側にあるときは、さらに見栄えの改善が大きくなる。
【００６８】
また、図１０（ｂ）において、対向電極２２１、２２２及び２２３をフローティング状態にするように構成したことにより、図７に比べて、ＣＬの変化量は減るが、電極の配線が不要になり、デザインの自由度が向上する。さらに、図２に比べてＣＬの変化量が検出感度に寄与する。
【００６９】
図１１は、透明電極パターンの更に他の例を示す図である。
【００７０】
図１１（ａ）及び図１１（ｂ）は、図２（ａ）及び図２（ｂ）と同じ構成の第１透明電極パターン３００と第２透明電極パターン４００を示しているが、特に携帯電話の入力キーに特化したセグメント電極を備えた例である。
【００７１】
図１１（ａ）の例では、第１透明電極パターン３００は、数字の「１」〜「０」、「＊」及び「＃」の型をしたセグメント電極３０１〜３１２、各セグメント電極３０１〜３１２への配線３２１〜３３２、センサ電極３４１〜３５２、各センサ電極への配線３６１〜３７２を有している。
【００７２】
各センサ電極３４１〜３５２は、各セグメント電極３０１〜３１２の近傍であって、ユーザの指１が押圧される領域であるタッチ領域３８１〜３９２の内側に、各セグメント電極３０１〜３１２の周囲を取り囲むように配置されている。また、図２（ａ）に示すセンサ電極１２１〜１２３と同様に、各センサ電極３４１〜３５２の面積は、対応する各セグメント電極の面積より大きくなるように設定されている。
【００７３】
図１１（ｂ）の例では、第２透明電極パターン４００は、各セグメント電極３０１〜３１２に対向する位置にそれぞれ配置された対向電極４０１〜４１２、対向電極４０１〜４１２への配線４２１〜４２４を有している。対向電極４０１〜４１２及び配線４２１〜４２４には、全て同一電位が印加され、コモン電極として機能している。また、対向配線４２１〜４３２は、セグメント配線３２１〜３３２と重ならないように配線されている。
【００７４】
このように、図１１（ａ）に示す第１透明電極パターン３００は図２（ａ）に示す第１透明電極パターン１２に代わり、図１１（ｂ）に示す第２透明電極パターン４００は図２（ｂ）に示す第２透明電極パターン１５に代わって、液晶装置１０に用いることができる。また、図１１に示した例は、図２に示した例とセグメント電極及びセンサ電極の形状及び数を異ならせただけであるので、図３〜図５に示したものと同じ検知回路及び検知方式によって、どのセグメントが指し示されたかを判別することができ、同様の機能を果たす。
【図面の簡単な説明】
【００７５】
【図１】本発明に係る液晶装置１０の概略断面図である。
【図２】透明電極パターンの一例を示す図である。
【図３】図２に示すセンサ用電極と指との間の静電容量を示す図である。
【図４】図２及び図３に対応した検知回路の概略構成を示す図である。
【図５】固定静電容量Ｃｓの端子電圧Ｖｉの一例を示す図である。
【図６】透明電極パターンの他の例を示す図である。
【図７】透明電極パターンの更に他の例を示す図である。
【図８】図７に示すセンサ電極と指との間の静電容量を示す図である。
【図９】図７及び図８に対応した検知回路の概略構成を示す図である。
【図１０】透明電極パターンの更に他の例を示す図である。
【図１１】透明電極パターンの更に他の例を示す図である。
【符号の説明】
【００７６】
１０    液晶装置
１１    第１透明基板
１２、３００    第１透明電極パターン
１５、１５´、１５´´、４００    第２透明電極パターン
１６    第２透明基板
２０、２０´    検知回路
１０１、１０２、１０３、３０１〜３１２    セグメント用電極
１２１、１２２、１２３、３４１〜３５２    センサ用電極
１３１、１３２、１３３、１４１、１４２−１、１４２−２、１４３、３２１〜３３２    セグメント用電極への配線
２０１、２０２、２０３    対向電極
２２１、２２２、２２３    センサ対向電極
【図１】
2008268889.tif 000003
【図２】
2008268889.tif 000004
【図３】
2008268889.tif 000005
【図４】
2008268889.tif 000006
【図５】
2008268889.tif 000007
【図６】
2008268889.tif 000008
【図７】
2008268889.tif 000009
【図８】
2008268889.tif 000010
【図９】
2008268889.tif 000011
【図１０】
2008268889.tif 000012
【図１１】
2008268889.tif 000013